(57)【特許請求の範囲】
【請求項１】
吸気通路が設けられたスロットルボディと、
前記スロットルボディに回転可能に設けられたスロットル軸と、
前記スロットル軸に固定され、前記吸気通路を開閉するスロットルバルブと、
前記スロットルバルブを前記吸気通路を閉じる方向に付勢するスプリングと、
前記スロットル軸に設けられ、アクセルグリップの一方向への操作により前記スロットルバルブの開方向に回され、該アクセルグリップの他方向への操作により該スロットルバルブの閉方向に回されるスロットルレバーと、
前記スロットルレバーと連動して移動する受け座と、
前記スロットルバルブのアイドル開度をファストアイドル開度に設定し及び該設定を解除するためのアイドル制御部とを備え、
前記アイドル制御部は、前記スロットルボディに固定された固定部と、該固定部に直線状に移動可能に支持された可動部とを有し、該可動部が前記ファストアイドル開度に対応する設定位置に移動したとき、前記受け座に当接した該可動部を所定の保持力で保持するように構成され、
前記所定の保持力は、前記アクセルグリップの他方向への操作によって前記スロットルレバーが閉方向に回されるのに連動して前記受け座が前記可動部を押すことにより、前記可動部の保持が解除可能な力であり、
前記アイドル制御部は、
前記設定位置を規定するとともに該設定位置における前記可動部の保持を行う保持部を備え、
前記固定部は、前記可動部を移動可能に支持する内周面を備え、
前記可動部は、前記内周面に対応する外周面を備え、
前記保持部は、
前記内周面に設けられた内周突起部と、
前記外周面に設けられた外周突起部とを備え、
前記可動部が前記設定位置に移動するとき、前記外周突起部が前記内周突起部を乗り越えて該設定位置において該内周突起部により前記スプリングの付勢力に抗して支持され、該可動部が逆方向に移動するとき、該外周突起部が該内周突起部を逆方向に乗り越えることにより、該設定位置における前記可動部の保持及びその解除を実現するものであり、
前記外周突起部による前記内周突起部の乗り越えが可能となるように、前記固定部は弾性変形し得るように構成され、前記内周突起部又は前記外周突起部は、前記可動部の移動方向に沿って傾斜した傾斜面を有することを特徴とする吸気制御装置。
【請求項２】
吸気通路が設けられたスロットルボディと、
前記スロットルボディに回転可能に設けられたスロットル軸と、
前記スロットル軸に固定され、前記吸気通路を開閉するスロットルバルブと、
前記スロットルバルブを前記吸気通路を閉じる方向に付勢するスプリングと、
前記スロットル軸に設けられ、アクセルグリップの操作により前記スロットルバルブの開方向に回されるスロットルレバーと、
前記スロットルレバーと連動して回転する受け座と、
前記スロットルバルブのアイドル開度をファストアイドル開度に設定し及び該設定を解除するためのアイドル制御部とを備え、
前記アイドル制御部は、前記スロットルボディに固定された固定部と、該固定部に直線状に移動可能に支持された可動部とを有し、該可動部が前記ファストアイドル開度に対応する設定位置に移動したとき、前記受け座に当接した該可動部を所定の保持力で保持するように構成され、
前記所定の保持力は、前記可動部の操作により前記可動部の保持が解除可能な力であり、
前記アイドル制御部は、
前記設定位置を規定するとともに該設定位置における前記可動部の保持を行う保持部を備え、
前記固定部は、前記可動部を移動可能に支持する内周面を備え、
前記可動部は、前記内周面に対応する外周面を備え、
前記保持部は、
前記内周面に設けられた内周突起部と、
前記外周面に設けられた外周突起部とを備え、
前記可動部が前記設定位置に移動するとき、前記外周突起部が前記内周突起部を乗り越えて該設定位置において該内周突起部により前記スプリングの付勢力に抗して支持され、該可動部が逆方向に移動するとき、該外周突起部が該内周突起部を逆方向に乗り越えることにより、該設定位置における前記可動部の保持及びその解除を実現するものであり、
前記外周突起部による前記内周突起部の乗り越えが可能となるように、前記固定部は弾性変形し得るように構成され、前記内周突起部又は前記外周突起部は、前記可動部の移動方向に沿って傾斜した傾斜面を有することを特徴とする吸気制御装置。
【請求項３】
前記可動部は、前記受け座に当接する側の部材とその反対側の部材とで形成され、両部材の間を連結するねじ機構を備えたことを特徴とする請求項１又は２に記載の吸気制御装置。
【請求項４】
前記可動部は、前記可動部の前記受け座に当接する側の部材と、これとは別体の反対側の部材とにより、両部材間で遊びが生じるように構成され、
前記可動部の外周突起部は、該可動部をスライドさせるための操作部の側の部材に設けられることを特徴とする請求項１又は２に記載の吸気制御装置。
【請求項５】
前記可動部の前記受け座に当接する側の部材とその反対側の部材との間を連結し、両部材間の距離を調整し、前記遊びを構成するねじ機構を備えることを特徴とする請求項４に記載の吸気制御装置。
【請求項６】
前記アイドル制御部の固定部は、前記スロットルボディと別体で形成されることを特徴とする請求項３に記載の吸気制御装置。
【発明の詳細な説明】
【技術分野】
【０００１】
本発明は、内燃機関に供給される吸気量を制御する吸気量制御装置に関する。
【背景技術】
【０００２】
従来、このような吸気量制御装置は、スロットルボディの内部に貫通して設置される吸気通路と、スロットルボディに回転可能に設置されたスロットル軸と、スロットル軸に固定され、吸気通路を開閉するスロットルバルブとを備える。スロットルボディには、スロットルバルブのアイドル開度及びファストアイドル開度を設定するアイドル制御部が設けられる（例えば、特許文献１参照）。
【０００３】
特許文献１に記載の吸気量制御装置におけるアイドル制御部は、スロットルボディに設けられたカムレバーと、これによって回動される中間リンクレバーと、スロットルバルブに連動して回動するアイドル規制腕部及びファストアイドル規制腕部とを備える。カムレバーは、モータにより駆動され、中間リンクレバーをアイドル開度及びファストアイドル開度に対応する回動位置に位置付ける。
【０００４】
中間リンクレバーには、アイドル調整スクリュー及びファストアイドル調整ねじが設けられる。アイドル調整スクリューは、アイドル規制腕部に当接してスロットルバルブをアイドル開度に維持し、かつアイドル開度を調整するために設けられる。ファストアイドル調整ねじは、ファストアイドル規制腕部に当接してスロットルバルブをファストアイドル開度に維持し、かつファストアイドル開度を調整するために設けられる。
【０００５】
内燃機関の常温始動時及び高温始動時には、中間リンクレバーが、アイドル開度に対応する回動位置に位置付けられる。これにより、中間リンクレバーのアイドル調整スクリューがアイドル規制腕部に当接する。したがって、スロットルバルブの開度が、アイドル調整スクリューにより調整されたアイドル開度に維持される。
【０００６】
一方、内燃機関の冷間始動時には、中間リンクレバーが、ファストアイドル開度に対応する回動位置に位置付けられる。これにより、中間リンクレバーのファストアイドル調整ねじが、ファストアイドル規制腕部に当接する。したがって、スロットルバルブの開度が、ファストアイドル調整ねじにより調整されたファストアイドル開度に維持される。
【先行技術文献】
【特許文献】
【０００７】
【特許文献１】特許第４５３１００８号公報
【発明の概要】
【発明が解決しようとする課題】
【０００８】
しかしながら、上記特許文献１の吸気量制御装置は、内燃機関の冷間始動時に、スロットルバルブの開度が、モータによってファストアイドル開度に設定され、その後、モータによってアイドル開度に戻されるように構成されている。このため、構成が複雑で、コストが高い。
【０００９】
本発明の目的は、かかる従来技術の課題に鑑み、簡単な操作で、スロットルバルブのアイドル開度をファストアイドル開度に設定すること及びその設定を解除することができる吸気量制御装置を提供することにある。
【課題を解決するための手段】
【００１０】
第１発明に係る制御装置は、
吸気通路が設けられたスロットルボディと、
前記スロットルボディに回転可能に設けられたスロットル軸と、
前記スロットル軸に固定され、前記吸気通路を開閉するスロットルバルブと、
前記スロットルバルブを前記吸気通路を閉じる方向に付勢するスプリングと、
前記スロットル軸に設けられ、アクセルグリップの一方向への操作により前記スロットルバルブの開方向に回され、該アクセルグリップの他方向への操作により該スロットルバルブの閉方向に回されるスロットルレバーと、
前記スロットルレバーと連動して移動する受け座と、
前記スロットルバルブのアイドル開度をファストアイドル開度に設定し及び該設定を解除するためのアイドル制御部とを備え、
前記アイドル制御部は、前記スロットルボディに固定された固定部と、該固定部に直線状に移動可能に支持された可動部とを有し、該可動部が前記ファストアイドル開度に対応する設定位置に移動したとき、前記受け座に当接した該可動部を所定の保持力で保持するように構成され、
前記所定の保持力は、前記アクセルグリップの他方向への操作によって前記スロットルレバーが閉方向に回されるのに連動して前記受け座が前記可動部を押すことにより、前記可動部の保持が解除可能な力であり、
前記アイドル制御部は、
前記設定位置を規定するとともに該設定位置における前記可動部の保持を行う保持部を備え、
前記固定部は、前記可動部を移動可能に支持する内周面を備え、
前記可動部は、前記内周面に対応する外周面を備え、
前記保持部は、
前記内周面に設けられた内周突起部と、
前記外周面に設けられた外周突起部とを備え、
前記可動部が前記設定位置に移動するとき、前記外周突起部が前記内周突起部を乗り越えて該設定位置において該内周突起部により前記スプリングの付勢力に抗して支持され、該可動部が逆方向に移動するとき、該外周突起部が該内周突起部を逆方向に乗り越えることにより、該設定位置における前記可動部の保持及びその解除を実現するものであり、
前記外周突起部による前記内周突起部の乗り越えが可能となるように、前記固定部は弾性変形し得るように構成され、前記内周突起部又は前記外周突起部は、前記可動部の移動方向に沿って傾斜した傾斜面を有することを特徴とする。
【００１１】
第１発明によれば、スロットルバルブのアイドル開度を暖機運転時の開度であるファストアイドル開度に設定するとき、アイドル制御部の可動部がファストアイドル開度に対応する設定位置まで移動される。このとき、可動部は、スロットルレバーに連動する受け座をスプリングの付勢力に抗して押すとともに、その設定位置に保持される。これにより、スロットルバルブのアイドル開度は、ファストアイドル開度に設定される。
【００１２】
この設定を解除して、スロットルバルブのアイドル開度を通常のアイドル開度に戻す場合には、アクセルグリップを他方向に操作することにより、スロットルレバーがスロットルバルブの閉方向に回されるので、スロットルレバーと連動する受け座が可動部を押す。このとき、可動部は、直線状に移動するものであるから、この可動部を直線的に押す力は、可動部の保持を解除するに十分な力となって可動部の保持を解除する。
【００１３】
可動部の保持が解除されると、スプリングの付勢力により、開方向に回されるスロットルレバーと連動する受け座と共に可動部が移動する。これにより、ファストアイドル開度の設定が解除され、スロットルバルブのアイドル開度は、通常のアイドル開度に復帰する。
【００１４】
このように、可動部は直線的に移動するので、ファストアイドル開度の設定及びその解除を、アイドル制御部及びアクセルグリップの操作により、モータの駆動力に頼ることなく容易に行うことができる。したがって、簡単な操作でファストアイドル開度への設定及びその解除を行うことができる吸気量制御装置を提供することができる。
また、ファストアイドル開度の設定に際し、ファストアイドル開度に対応した設定位置における可動部の保持は、固定部が弾性変形し、保持部の外周突起部が内周突起部を乗り越えて内周突起部により支持されることにより行われる。すなわち、保持部によりファストアイドル開度が維持される。また、ファストアイドル開度の解除は、外周突起部が内周突起部を逆方向に乗り越えて、保持部による可動部の保持が解除されることにより行われる。したがって、ファストアイドル開度の設定及びその解除を、簡単かつスムーズに行うことができる。
また、保持部は、可動部と固定部に内周突起部と外周突起部を設け、固定部を弾性変形
可能に形成するだけで、特別な部品を要することなく構成できるので、アイドル制御部の
コストを削減することができる。
【００１５】
第２発明に係る吸気量制御装置は、
吸気通路が設けられたスロットルボディと、
前記スロットルボディに回転可能に設けられたスロットル軸と、
前記スロットル軸に固定され、前記吸気通路を開閉するスロットルバルブと、
前記スロットルバルブを前記吸気通路を閉じる方向に付勢するスプリングと、
前記スロットル軸に設けられ、アクセルグリップの操作により前記スロットルバルブの開方向に回されるスロットルレバーと、
前記スロットルレバーと連動して回転する受け座と、
前記スロットルバルブのアイドル開度をファストアイドル開度に設定し及び該設定を解除するためのアイドル制御部とを備え、
前記アイドル制御部は、前記スロットルボディに固定された固定部と、該固定部に直線状に移動可能に支持された可動部とを有し、該可動部が前記ファストアイドル開度に対応する設定位置に移動したとき、前記受け座に当接した該可動部を所定の保持力で保持するように構成され、
前記所定の保持力は、前記可動部の操作により前記可動部の保持が解除可能な力であり、
前記アイドル制御部は、
前記設定位置を規定するとともに該設定位置における前記可動部の保持を行う保持部を備え、
前記固定部は、前記可動部を移動可能に支持する内周面を備え、
前記可動部は、前記内周面に対応する外周面を備え、
前記保持部は、
前記内周面に設けられた内周突起部と、
前記外周面に設けられた外周突起部とを備え、
前記可動部が前記設定位置に移動するとき、前記外周突起部が前記内周突起部を乗り越えて該設定位置において該内周突起部により前記スプリングの付勢力に抗して支持され、該可動部が逆方向に移動するとき、該外周突起部が該内周突起部を逆方向に乗り越えることにより、該設定位置における前記可動部の保持及びその解除を実現するものであり、
前記外周突起部による前記内周突起部の乗り越えが可能となるように、前記固定部は弾性変形し得るように構成され、前記内周突起部又は前記外周突起部は、前記可動部の移動方向に沿って傾斜した傾斜面を有することを特徴とする。
【００１６】
第２発明において、ファストアイドル開度への設定は、上記第１発明の場合と同様に、可動部をファイストアイドル開度に対応する設定位置まで移動させることにより、容易に行うことができる。
【００１７】
ファストアイドル開度から通常のアイドル開度に戻す場合には、可動部を逆方向に移動させる。このとき、可動部の移動方向が直線的であるため、可動部を移動させる力は、可動部の保持を解除するに十分な力となり、容易に可動部の保持を解除する。これにより、上記第１発明の場合と同様に、スロットルバルブのアイドル開度は、通常のアイドル開度に復帰する。
【００１８】
このように、可動部が直線的にスライドするので、ファストアイドル開度の設定及びその解除を、可動部を移動させることにより、モータの駆動力に頼ることなく容易に行うことができる。したがって、簡単な操作でファストアイドル開度への設定及びその解除を行うことができる吸気量制御装置を提供することができる。
【００１９】
第３発明に係る吸気量制御装置は、第１又は第２発明において、前記可動部は、前記受け座に当接する側の部材とその反対側の部材とで形成され、両部材の間を連結するねじ機構を備えたことを特徴とする。
【００２０】
これによれば、可動部の移動方向は直線状であり、可動部の受け座に当接する側の部材及びその反対側の部材が相互に別体で形成されるため、可動部の移動方向に沿って、可動部の受け座に当接する側の部材及びその反対側の部材相互間の距離の調整を可能とするねじ機構を簡単に設置して、ファストアイドル開度を調整するために用いることができる。
【００２４】
第４発明に係る吸気制御装置は、第１又は第２発明において、前記可動部は、前記受け座に当接する側の部材と、これとは別体の反対側の部材とにより、両部材間で遊びが生じるように構成され、前記可動部の外周突起部は、該可動部をスライドさせるための操作部の側の部材に設けられることを特徴とする。
【００２５】
これによれば、固定部が弾性変形して保持部により可動部が保持されるとき、アイドル制御部の各部の寸法ばらつきや組立てばらつきが、可動部の受け座に当接する側の部材と、その反対側の部材との間の遊びにより吸収される。したがって、ファストアイドル開度への設定及びその解除を、簡単かつスムーズに行うことができる。
【００２６】
第５発明に係る吸気制御装置は、第４発明において、前記可動部の前記受け座に当接する側の部材とその反対側の部材との間を連結し、両部材間の距離を調整し、前記遊びを構成するねじ機構を備えたことを特徴とする。
【００２７】
これによれば、可動部の受け座に当接する側の部材とその反対側の部材との間の遊びとファストアイドル開度の調整機能との双方をねじ機構により実現することができる。したがって、アイドル制御部を簡単に構成することができる。
【００２８】
第６発明に係る吸気制御装置は、第３発明において、前記アイドル制御部の固定部は、前記スロットルボディと別体で形成されることを特徴とする。
【００２９】
これによれば、各スロットルボディの機種毎にアイドル制御部の固定部を用意することによって、アイドル制御部を機種毎に都合の良い場所に配置することができる。したがって、アイドル制御部の汎用性を向上させることができる。
【図面の簡単な説明】
【００３０】
【図１】本発明の一実施形態に係る吸気制御装置を示す断面図である。
【図２】図１の吸気制御装置のアイドル制御部を示す断面図である。
【図３】図２のアイドル制御部の一部を示す断面図である。
【図４】図３のアイドル制御部の一部の別の状態を示す断面図である。
【発明を実施するための形態】
【００３１】
以下、図面を用いて本発明の実施形態を説明する。図１に示すように、実施形態の吸気制御装置１は、エンジンに通じる吸気通路２が設けられたスロットルボディ３と、スロットルボディ３に回転可能に設けられたスロットル軸４と、スロットル軸４に固定され、吸気通路２を開閉するスロットルバルブ５とを備える。スロットルバルブ５は、スプリング６により、吸気通路２を閉じる方向である閉方向Ｃに付勢される。
【００３２】
スロットル軸４には、スロットルレバー７が設けられる。スプリング６は、一端がスロットルレバー７に固定され、他端がスロットルボディ３に固定されており、スロットルレバー７を介して、スロットルバルブ５を閉方向Ｃに付勢する。
【００３３】
スロットルレバー７は、アクセルグリップ８の一方向への操作により第１ワイヤ９を介してスロットルバルブ５が開く方向である開方向Ｏに回される。また、スロットルレバー７は、アクセルグリップ８の他方向への操作により第２ワイヤ１０を介してスロットルバルブ５の閉方向Ｃに回される。
【００３４】
スロットルレバー７には、スロットルバルブ５と相互に連動して回転する受け座１１が固定される。スロットルボディ３には、受け座１１に当接してスロットルバルブ５のアイドル開度をファストアイドル開度に設定し及び該設定を解除するためのアイドル制御部１２が設けられる。
【００３５】
アイドル制御部１２は、スロットルボディ３に固定された固定部１３と、固定部１３により、第１位置Ｐ１と第２位置Ｐ２との間でスライドし得るように支持された可動部１４とを備える。第１位置Ｐ１は、スロットルバルブ５の通常のアイドル開度に対応する位置であり、第２位置Ｐ２は、ファストアイドル開度に対応する設定位置である。アイドル制御部１２は、可動部１４が第２位置Ｐ２にスライドされたとき、可動部１４を、所定の保持力Ｆで保持する。
【００３６】
固定部１３は、先端側がスロットルボディ３に固定された部材１３ａと、部材１３ａの後端側に先端側が連結された部材１３ｂと、部材１３ｂの後端部を可動部１４にかけて覆う部材１３ｃとで構成され、スロットルボディ３と別体のものとして形成される。部材１３ｂは、例えば弾性特性や摺動特性に優れたポリアセタールで構成される。部材１３ｃは、ゴムで構成される。
【００３７】
可動部１４は、可動部１４をスライドさせるための操作部１５と、可動部１４が第２位置Ｐ２に位置するときに受け座１１に当接する当接部１６とを備える。可動部１４のスライドの方向は、可動部１４の操作部１５と当接部１６を結ぶ方向に沿って直線的である。固定部１３の部材１３ａの先端と、そこから突出した可動部１４の当接部１６近傍に到る部分との間は、ベローズＢにより覆われている。
【００３８】
上述の可動部１４を保持する際の保持力Ｆは、アクセルグリップ８の他方向への操作により可動部１４の保持が解除可能な程度の力である。すなわち、アクセルグリップ８が他方向へ操作されたとき、その操作力が、第２ワイヤ１０、スロットルバルブ５、受け座１１及び当接部１６を介して可動部１４に伝達される。そして、伝達された力により、保持力Ｆによる可動部１４の保持が解除される。
【００３９】
図２に示すように、アイドル制御部１２は、第２位置Ｐ２を規定するとともに保持力Ｆによる可動部１４の保持を実現する保持部１７を備える。固定部１３は、可動部１４をスライド可能に支持する内周面１８を備える。可動部１４は、内周面１８に対応する外周面１９を備える。
【００４０】
保持部１７は、内周面１８において周方向に沿って環状に設けられた内周突起部２０と、外周面１９において周方向に沿って環状に設けられ、内周突起部２０と協働する外周突起部２１とで構成される。外周突起部２１は、可動部１４が第２位置Ｐ２に向けてスライドされるとき、内周突起部２０を乗り越える。そして、外周突起部２１は、第２位置Ｐ２において、内周突起部２０により、受け座１１スプリング６の付勢力に抗して支持される。これにより、可動部１４の保持力Ｆによる保持が実現される。
【００４１】
固定部１３の後端部は、外周突起部２１が内周突起部２０を乗り越えるのを容易化するために、弾性変形し得るように構成される。すなわち、固定部１３の内周突起部２０を含む後端部には、前後方向に延びた４本のスリット１３ｓが、周方向に等間隔で設けられる。
【００４２】
可動部１４は、操作部１５側の部材２２及びこれとは別体の当接部１６側の部材２３により、両部材２２、２３の間で遊び（隙間、ガタ）が生じるように構成される。可動部１４の外周突起部２１は、操作部１５側の部材２２に設けられる。
【００４３】
部材２２、２３間の遊びは、部材２２、２３間を連結し、部材２２、２３間の距離の調整を可能とするねじ機構２４により調整することができる。ねじ機構２４は、操作部１５側の部材２２に設けられた雄ねじ２５と、当接部１６側の部材２３に設けられた雌ねじ２６とで構成される。
【００４４】
固定部１３と可動部１４の当接部１６側の部材２３との間には、固定部１３に対して部材２３を操作部１５側に付勢するコイルばね２７が設けられる。アイドル制御部１２には、コイルばね２７の付勢力に抗して可動部１４を支持することにより、基準位置としての第１位置Ｐ１を規定する基準保持部２８と、基準位置からの可動部１４の第２位置Ｐ２までのスライド量Ｓを規定するスライド量規定部２９とが設けられる。
【００４５】
基準保持部２８は、固定部１３の部材１３ｂの内周面１８に設けられた段差面３０と、可動部１４の保持部１７側の部材２２の外周面１９に設けられた段差面３１により構成される。スライド量規定部２９は、固定部１３の部材１３ａの内周面１８に設けられた段差面３２と、可動部１４の当接部１６側の部材２３の外周面１９に設けられた段差面３３により構成される。
【００４６】
スロットルバルブ５のアイドル開度が通常のアイドル開度である場合には、基準保持部２８の段差面３０と３１は、コイルばね２７の付勢力により当接した状態にあり、これにより、可動部１４は、第１位置Ｐ１に位置する。すなわち、固定部１３に対する可動部１４の基準位置が規定される。
【００４７】
スロットルバルブ５のアイドル開度がファストアイドル開度に設定される場合には、スライド量規定部２９の段差面３３が段差面３２に当接するまで、コイルばね２７の付勢力に抗して可動部１４がスライドされ、第２位置Ｐ２に位置付けられる。すなわち、スライド量規定部２９により、固定部１３に対する可動部１４のスライド量Ｓが規定される。
【００４８】
図３に示すように、可動部１４の操作部１５側の部材２２の外周突起部２１は、当接部１６側に向かって径が減少する円錐台の側面で構成される環状の第１傾斜面３４と、操作部１５側に向かって径が減少する円錐台の側面で構成される環状の第２傾斜面３５とを有する。可動部１４のスライド方向Ｄに対して第１傾斜面３４の成す鋭角α１は、スライド方向Ｄに対して第２傾斜面３５が成す鋭角α２よりも小さい。なお、図３及び図４では、固定部１３については、部材１３ｂのみが示され、部材１３ｃは図示されていない。
【００４９】
固定部１３の部材１３ｂの内周突起部２０は、先端側（当接部１６側）に向かって径が増大する円錐台の内面で構成される環状の第３傾斜面３６と、後端側（操作部１５側）に向かって径が増大する円錐台の内面で構成される環状の第４傾斜面３７とを有する。ただし、内周突起部２０は、スリット１３ｓにより４つの部分に分離されている。
【００５０】
可動部１４のスライド方向Ｄに対して第３傾斜面３６の成す鋭角β１は、スライド方向Ｄに対して第４傾斜面３７が成す鋭角β２よりも大きい。第３傾斜面３６は、第２傾斜面３５とほぼ同じ傾斜角度を有する（β１≒α２）。
【００５１】
この構成において、スロットルバルブ５の開度は、アクセルグリップ８を一方向又は他方向へ操作することにより制御される。スロットルレバー７は、スプリング６により、アクセルグリップ８の閉方向Ｃに付勢されているので、アクセルグリップ８が一方向に操作された場合には、この付勢力に抗して、第１ワイヤ９を介して開方向Ｏに回転される。これにより、スロットルバルブ５は、アクセルグリップ８の操作量に対応した開度で開かれる。
【００５２】
アクセルグリップ８が他方向へ操作された場合には、スプリング６の付勢力及び第２ワイヤ１０によりスロットルレバー７が閉方向Ｃに回転され、スロットルバルブ５は、操作量に対応した量だけ閉じられる。その際、スロットルバルブ５の開度がアイドル開度に達した場合には、スロットルバルブ５のそれ以上の閉塞は阻止される。
【００５３】
このとき、アイドル制御部１２の可動部１４が、第１位置Ｐ１に位置しているとすれば、可動部１４の当接部１６は、スロットルレバー７の受け座１１に当接しない。そして、スロットルレバー７は、図示していない部材により、スプリング６の付勢力に抗して、スロットルバルブ５の通常のアイドル開度に対応する回転位置に固定される。これにより、スロットルバルブ５の開度が通常の（暖気運転以外の場合の）アイドル開度に維持される。
【００５４】
図１では、このときの状態が示されている。このとき、図３に示すように、固定部１３の内周突起部２０は、可動部１４の外周突起部２１の第１傾斜面３４側に位置している。この状態において、エンジンの暖気運転を行うためにスロットルバルブ５のアイドル開度をファストアイドル開度に設定する場合には、操作部１５が押され、可動部１４が第２位置Ｐ２までスライドされる。
【００５５】
この間に、可動部１４の当接部１６は、受け座１１に当接し、さらにスプリング６の付勢力に抗して受け座１１を押し、第２位置Ｐ２に対応する位置までスロットルレバー７を回転させる。これにより、スロットルバルブ５がファストアイドル開度まで開かれる。
【００５６】
この間、固定部１３の内周突起部２０が、可動部１４の外周突起部２１の第１傾斜面３４上をスライドしてゆくにつれて、固定部１３の部材１３ｂの後端部が弾性変形し、外周突起部２１が内周突起部２０を乗り越えるのを許容する。外周突起部２１が内周突起部２０を乗り越えると、図４に示すように、内周突起部２０の第３傾斜面３６が外周突起部２１の第２傾斜面３５に当接する。また、これとともに、スライド量規定部２９の段差面３２と３３とが当接する。
【００５７】
これにより、スロットルバルブ５の開度がファストアイドル開度に固定され、ファストアイドル開度の設定が達成される。このときの当接部１６及び受け座１１の状態が、図１及び図２において２点鎖線で示されている。
【００５８】
暖気運転が完了し、スロットルバルブ５のアイドル開度を通常のアイドル開度に戻す場合には、アクセルグリップ８が他方向に操作される。このとき、スプリング６の付勢力に第２ワイヤ１０からの回転力が加わった力により、受け座１１が当接部１６を押すので、外周突起部２１が内周突起部２０を逆方向に乗り越える。
【００５９】
これにより、保持部１７による可動部１４の保持が解除され、可動部１４が第１位置Ｐ１に向かってスライドするとともに、スロットルレバー７がスロットルバルブ５の閉方向Ｃに回転される。そして、通常のアイドル開度に対応する位置まで回転したとき、スロットルレバー７はそれ以上の回転が阻止される。
【００６０】
このとき、可動部１４は、コイルばね２７により、さらに第１位置Ｐ１までスライドされる。これにより、ファストアイドル開度の設定解除が達成され、スロットルバルブ５のアイドル開度が通常のアイドル開度に復帰する。
【００６１】
以上のように、本実施形態によれば、可動部１４のスライドの方向は、可動部１４の操作部１５と当接部１６を結ぶ方向に沿って直線的である。したがって、可動部１４の操作部１５を操作者が押すことにより、可動部１４を容易に保持部１７により保持させてファストアイドル開度への設定を容易に行うことができる。
【００６２】
また、アクセルグリップ８の他方向への操作により、この保持を解除するに十分な力が生じるので、その操作により、容易に可動部１４の保持を解除して、通常のアイドル開度に戻すことができる。また、このように、操作部１５とアクセルグリップ８の操作だけで、モータを使用することなく、ファストアイドル開度への設定とその解除を行うことができるので、アイドル制御部１２のコストを削減することができる。
【００６３】
また、可動部１４のスライドの方向は、可動部１４の操作部１５と当接部１６を結ぶ方向に沿って直線的であるため、スライド方向に沿って、操作部１５及び当接部１６相互間の距離の調整を可能とするねじ機構２４を簡単に設置し、ファストアイドル開度を調整するために用いることができる。
【００６４】
また、保持部１７による可動部１４の保持及びその解除は、固定部１３が弾性的に変位し、外周突起部２１が内周突起部２０を乗り越えることにより行われるので、ファストアイドル開度の設定及びその解除を、簡単かつスムーズに行うことができる。
【００６５】
また、保持部１７は、可動部１４と固定部１３に内周突起部２０と外周突起部２１を設け、固定部１３を弾性変形可能に形成するだけで、特別な部品を要することなく構成することができる。したがって、アイドル制御部１２のコストを削減することができる。
【００６６】
また、可動部１４は、その操作部１５側の部材２２と当接部１６側の部材２３との間で遊びが生じるように構成されるので、この遊びにより、アイドル制御部１２の各部寸法のばらつき、組立てばらつきが吸収される。したがって、ファストアイドル開度への設定及びその解除を、簡単かつスムーズに行うことができる。
【００６７】
また、ねじ機構２４に遊びが存在するので（雄ねじ２５と雌ねじ２６の間の遊び）、各部材２２、２３間の遊びとファストアイドル開度の調整機能との双方をねじ機構２４により実現することができる。
【００６８】
また、アイドル制御部１２の固定部１３は、スロットルボディ３と別体で形成されるので、スロットルボディ３の機種毎に固定部１３を用意することによって、アイドル制御部１２を機種毎に都合の良い場所に配置することができる。したがって、アイドル制御部１２の汎用性を向上させることができる。
【００６９】
また、基準保持部２８及びスライド量規定部２９を設けたので、可動部１４をコイルばね２７の付勢力に抗して基準保持部２８で支持することにより、通常のアイドル開度を簡易な構造により維持するとともに、ファストアイドル開度の設定に要する可動部１４のスライド量Ｓを容易に規定することができる。
【００７０】
また、可動部１４の外周突起部２１の第１傾斜面３４は、第２傾斜面３５よりも小さい鋭角を有し、固定部１３の内周突起部２０の第３傾斜面３６は、第４傾斜面３７よりも大きい鋭角を有する。したがって、第２傾斜面３５と第３傾斜面３６とが当接することにより達成されるファストアイドル開度を確実に保持するとともに、ファストアイドル開度に設定する際、操作部１５をスムーズに押して固定部１３の変形を緩やかに促し、固定部１３の寿命を延ばすことができる。
【００７１】
以上、本発明の実施形態を説明したが、本発明は実施形態に限定されない。例えば、スロットルバルブ５を閉方向に回転させるための第２ワイヤ１０は無くてもよい。この場合、操作部１５を引くことにより、スロットルバルブのアイドル開度を、ファストアイドル開度から通常のアイドル開度に容易に戻すことができる。
【００７２】
また、スロットルバルブ５のアイドル開度が通常のアイドル開度に設定されている場合においても、可動部１４の当接部１６が受け座１１に当接するようにしてもよい。この場合、通常のアイドル開度も、当接部１６と受け座１１との当接により決定されるので、ねじ機構２４により調整することができる。
【符号の説明】
【００７３】
１…吸気制御装置、２…吸気通路、３…スロットルボディ、４…スロットル軸、５…スロットルバルブ、６…スプリング、７…スロットルレバー、８…アクセルグリップ、９…第１ワイヤ、１０…第２ワイヤ、１１…受け座、１２…アイドル制御部、１３…固定部、１４…可動部、１５…操作部、１６…当接部、１７…保持部、１８…内周面、１９…外周面、２０…内周突起部、２１…外周突起部、２２…操作部側の部材、２３…当接部側の部材、２４…ねじ機構。
【図１】
0006474266.tif 000002
【図２】
0006474266.tif 000003
【図３】
0006474266.tif 000004
【図４】
0006474266.tif 000005